(57)【要約】  【課題】救命ベルト一体型椅子を提供すること。  【解決手段】本発明の救命ベルト一体型椅子は、シートと背もたれを含む椅子において、前記シートまたは前記背もたれの少なくとも一領域に着脱可能に取り付けられ且つ内部に浮力体が充填される救命ベルトを含むことを特徴とする。  【選択図】図１
2014526935.tif 000002
【特許請求の範囲】
【請求項１】
シートを含む椅子において、
前記シートの少なくとも一領域に着脱可能に取り付けられ、内部に浮力体が充填される救命ベルトを含んでなり、
前記救命ベルトは、
馬蹄状の縁部領域と、
前記縁部領域の内側に設けられ、前記縁部領域に対して折り畳まれて前記縁部領域の内側に収容空間を形成することが可能な複数の折畳領域とを含むことを特徴とする、救命ベルト一体型椅子。
【請求項２】
シートと背もたれを含む椅子において、
前記シートまたは背もたれの少なくとも一領域に着脱可能に取り付けられ、内部に浮力体が充填される救命ベルトを含んでなり、
前記救命ベルトは、
馬蹄状の縁部領域と、
前記縁部領域の内側に設けられ、前記縁部領域に対して折り畳まれて前記縁部領域の内側に収容空間を形成することが可能な複数の折畳領域とを含むことを特徴とする、救命ベルト一体型椅子。
【請求項３】
前記救命ベルトは、開口領域を有する環状または多角形の形状をしており、
前記開口領域を有する救命ベルトの両側には、前記救命ベルトの両側を互いに接続させて前記開口領域を閉鎖させる接続部材が備えられることを特徴とする、請求項１または２に記載の救命ベルト一体型椅子。
【請求項４】
前記開口領域に隣接した前記救命ベルトの一側面に設けられ、前記救命ベルトを結合領域から容易に取り外すための把手をさらに含むことを特徴とする、請求項３に記載の救命ベルト一体型椅子。
【請求項５】
前記救命ベルトは、上面が前記シートの上面と同一線上に位置するように取り付けられ、着席感が低下しないように形成されることを特徴とする、請求項１に記載の救命ベルト一体型椅子。
【請求項６】
前記救命ベルトは、上面が前記背もたれまたは前記シートの上面と同一線上に位置するように取り付けられ、着席感が低下しないように形成されることを特徴とする、請求項２に記載の救命ベルト一体型椅子。
【請求項７】
前記浮力体は浮力を有する固体であることを特徴とする、請求項１または２に記載の救命ベルト一体型椅子。
【請求項８】
前記浮力体は非常時に充填できる気体であることを特徴とする、請求項１または２に記載の救命ベルト一体型椅子。
【発明の詳細な説明】
【技術分野】
【０００１】
本発明は、救命ベルト一体型椅子に係り、より詳しくは、椅子に着脱可能に救命ベルトが取り付けられている椅子に関する。
【背景技術】
【０００２】
救命ベルトは、自動車や飛行機、船舶などに海難事故に備えて必須のものとして設けられる水上安全用品である。このような救命ベルトは、通常、自動車、飛行機または船舶の椅子の下または別の保管場所に保管する。
【０００３】
救命ベルトを椅子の下に保管する場合、椅子間の狭い間隔により乗客が救命ベルトを椅子から取り出すのが厄介であるという不便さがある。また、救命ベルトを別の保管場所に保管する場合、自動車、飛行機または船舶の内部に保管場所を設けなければならないので、空間設計上の制約がある。また、危急状況で各乗客に救命ベルトを配らなければならいので、救命ベルト着用までの時間が遅滞するという問題がある。
【発明の概要】
【発明が解決しようとする課題】
【０００４】
本発明は、上述した問題を解決するためのもので、その目的は、救命ベルトを椅子に一体に備えて救命ベルトの保管のための空間を最小化することが可能な救命ベルト一体型椅子を提供することにある。
【０００５】
本発明の他の目的は、救命ベルトが椅子のシートまたは背もたれに着脱可能に取り付けられ、乗客が危急な状況で容易に取り外して着用することが可能な救命ベルト一体型椅子を提供することにある。
【０００６】
本発明の上記目的および様々な利点は、当業者によって本考案の第１実施形態からさらに明確になるであろう。
【課題を解決するための手段】
【０００７】
上記課題を解決するために、本発明の救命ベルト一体型椅子は、シートと背もたれを含む椅子において、前記シートまたは背もたれの少なくとも一領域に着脱可能に取り付けられ且つ内部に浮力体が充填される救命ベルトを含んでなる。
【０００８】
ここで、前記救命ベルトは、開口領域を有する環状または多角形の形状をしており、前記開口領域が設けられた救命ベルトの両側には、前記救命ベルトの両側を互いに接続させて前記開口領域を閉鎖させる接続部材が備えられてもよい。
【０００９】
また、前記救命ベルトは、馬蹄状の縁部領域と、前記縁部領域の内側に設けられ、前記縁部領域に対して折り畳まれて前記縁部領域の内側に収容空間を形成することが可能な複数の折畳領域とを含むことができる。
【００１０】
また、前記開口領域に隣接した前記救命ベルトの上面に設けられ、前記救命ベルトを前記シートまたは前記背もたれから容易に取り外すための把手をさらに含むことができる。
【００１１】
また、前記救命ベルトは、上面が前記背もたれまたは前記シートの上面と同一線上に位置するように取り付けられ、着席感が低下しないように形成されてもよい。
【００１２】
また、前記浮力体は浮力を有する固体からなってもよい。
【００１３】
また、前記浮力体は非常時に充填できる気体からなってもよい。
【発明の効果】
【００１４】
本発明の一実施形態に係る救命ベルト一体型椅子は、椅子を構成するシートまたは背もたれに救命ベルトが着脱可能に取り付けられ、平常時には一般椅子のように使用者に楽な着席感を提供する。これに対し、危急状況時には救命ベルトをシートまたは背もたれから取り外して胴体に着用することにより危急状況に対処することができる。
【００１５】
すなわち、本発明の救命ベルト一体型椅子は、シートまたは背もたれに着脱可能に取り付けられるので、救命ベルトを保管する別の着脱空間が要求されない。これにより、自動車、航空機または船舶などで空間をもっと広く効率的に使用することができる。
【００１６】
さらに、使用者の接近性が良い背もたれとシートに救命ベルトが取り付けられているので、危急状況発生の際に使用者が迅速に救命ベルトを着用して応急状況に対処することができる。
【図面の簡単な説明】
【００１７】
【図１】本発明の第１実施形態に係る救命ベルト一体型椅子の構成を示す斜視図である。
【図２】本発明の第１実施形態に係る救命ベルト一体型椅子の救命ベルト着脱構造を示す分解斜視図である。
【図３】図１のＡ−Ａ線に沿った断面構成を示す断面図である。
【図４】図１のＡ−Ａ線に沿った断面構成を示す断面図である。
【図５】本発明の第１実施形態に係る救命ベルト一体型椅子の救命ベルトを使用者が着用した状態を示す使用状態図である。
【図６】本発明の第１実施形態に係る救命ベルト一体型椅子の救命ベルトを使用者が着用した状態を示す使用状態図である。
【図７】本発明の第２実施形態に係る救命ベルト一体型椅子の構成を示す図である。
【図８】本発明の第２実施形態に係る救命ベルト一体型椅子の構成を示す図である。
【図９】本発明の第３実施形態に係る救命ベルト一体型椅子の構成を示す図である。
【図１０】本発明の第３実施形態に係る救命ベルト一体型椅子の構成を示す図である。
【図１１】本発明の第４実施形態に係る救命ベルト一体型椅子の構成を示す図である。
【発明を実施するための形態】
【００１８】
本発明の利点および特徴、そしてそれらを達成する方法は、添付図面と共に詳細に後述されている実施形態を参照すると、明確になるであろう。ところが、本発明は、以下に開示する実施形態に限定されるものではなく、互いに異なる多様な形態に具現されるものである。但し、本実施形態は単に本発明の開示を完全たるものにするため、本発明の属する技術分野における通常の知識を有する者に発明の範疇を完全に知らせるために提供されるものであり、本発明は請求の範囲によってのみ定義される。明細書全体において、同一の参照符号は同一の構成要素を示す。以下、添付図面を参照して本発明の実施形態を詳細に説明する。
【００１９】
図１は本発明の第１実施形態に係る救命ベルト一体型椅子１００の構成を示す斜視図、図２は本発明の第１実施形態に係る救命ベルト一体型椅子１００の救命ベルト１４０の分離構造を示す分解斜視図である。
【００２０】
図１および図２を参照すると、本発明の第１実施形態に係る救命ベルト一体型椅子１００は、フレーム１１０と、フレーム１１０に取り付けられ、使用者が着席するシート１２０と、フレーム１１０に取り付けられ、使用者の背を支持する背もたれ１３０と、背もたれ１３０に着脱可能に取り付けられる救命ベルト１４０とを含んでなる。
【００２１】
フレーム１１０はシート１２０と背もたれ１３０を支持する。フレーム１１０は金属のように耐久性が強い材質で出来ている。フレーム１１０は、自動車、船舶または航空機内に固定されてもよく、移動可能に備えられてもよい。
【００２２】
シート１２０は、使用者が着席できるようにフレーム１１０に取り付けられる。シート１２０は使用者の着席の際に着用感を向上させるためにクッション感を持つように備えられる。このために、シート１２０は天然皮革、人造皮革または繊維材質の外皮内部に綿などのクッション材質が充填されて形成できる。
【００２３】
背もたれ１３０は、フレーム１１０に取り付けられ、好ましくはシート１２０に対して垂直に取り付けられ、シート１２０に着席した使用者の背を支持する。本発明の第１実施形態に係る救命ベルト一体型椅子１００は背もたれ１３０の表面に救命ベルト１４０が取り付けられる。背もたれ１３０は、中央領域に配置されて使用者の背を支持する支持クッション部１３３と、支持クッション部１３３の縁部領域に配置されて救命ベルト１４０に結合する結合部１３１とから構成される。
【００２４】
支持クッション部１３３は、シート１２０と同様に、天然皮革、人造皮革または繊維材質の外皮内部に綿などのクッション材質が充填されて形成できる。結合部１３１は支持クッション部１３３の縁部領域に救命ベルト１４０の形状に対応して形成される。結合部１３１は、支持クッション部１３３に比べて陥没して設けられ、救命ベルト１４０の結合する空間を形成する。すなわち、結合部１３１に救命ベルト１４０が結合したとき、救命ベルト１４０の上面と支持クッション部１３３の上面とが略同一の高さに位置するように、結合部１３１は救命ベルト１４０の高さだけ陥没して設けられる。これは、結合部１３１と支持クッション部１３３の隣接領域に段差が発生する場合、着席された使用者が不便さを感じるおそれがあるので、これを防止するためである。
【００２５】
一方、結合部１３１の板面には、救命ベルト１４０を結合部１３１に固定させる固定部材が備えられる。固定部材は、結合部１３１の板面と救命ベルト１４０の背面にそれぞれ備えられる。固定部材はマジックテープ部材１３２、またはスナップボタン１３４である。この他にも、固定部材は２つの部材を互いに着脱可能に結合させることが可能な多様な形態であってもよい。
【００２６】
一方、本発明の第１実施形態に係る結合部１３１は、背もたれ１３０の縁部領域に形成されるが、場合によっては背もたれ１３０の内部領域に形成されてもよい。また、本発明の第１実施形態に係る救命ベルト一体型椅子１００は、シート１２０と背もたれ１３０がフレーム１１０上に支持される形態であるが、場合によってはフレーム１１０なしにシート１２０と背もたれ１３０のみから構成されてもよい。例えば、ソファ(sofa)のような形態であってもよく、ソファの背もたれ１３０に救命ベルト１４０が結合するように構成されてもよい。
【００２７】
このような背もたれ１３０における結合部１３１と支持クッション１３３の形状および配置は、救命ベルト１４０のサイズおよび形状に応じて適切に設計できる。
【００２８】
一方、本発明の第１実施形態に係る救命ベルト一体型椅子１００は、救命ベルト１４０が背もたれ１３０に取り付けられているが、シート１２０に取り付けられてもよい。すなわち、シート１２０が背もたれ１３０と同様の構成を有し、シート１２０の縁部領域に救命ベルト１４０が取り付けられてもよい。
【００２９】
救命ベルト１４０は、背もたれ１３０の結合部１３１に着脱可能に取り付けられる。救命ベルト１４０は、平常時には結合部１３１に取り付けられて背もたれ１３０と共に使用者の背を支持し、危急時には結合部１３１から取り外されて救命ベルト１４０の役割を果たす。
【００３０】
本発明の第１実施形態に係る救命ベルト１４０は、一領域に開口１４２を有する環状または多角形の形状に形成される。すなわち、図示の如く、「コ」字状にしてもよく、「口」字状の多角形の形状にしてもよく、円形または楕円形の形状にしてもよい。また、開口１４２は、必要であれば、端部が凹状に成形されて使用者が救命ベルトを便利に握持し得るようにする。このような救命ベルト１４０の形状は、救命ベルト１４０が取り付けられるシート１２０または背もたれ１３０のデザインに従って設計され、結合部１３１の形状に対応する。
【００３１】
救命ベルト１４０は、開口１４２を有するように形成された救命ベルト本体１４１と、救命ベルト本体１４１の内部に備えられ、浮力を形成する浮力体１４４と、開口１４２が設けられた救命ベルト１４０の両側に設けられ、前記救命ベルトの両側を互いに接続させて開口１４２を閉鎖させる接続部材１４５、１４７とを含む。
【００３２】
図３および図４は図１のＡ−Ａ線に沿った断面構成を示す断面図である。図示の如く、救命ベルト１４０は防水材質の救命ベルト本体１４１の内部に浮力体１４４が収容されて形成される。ここで、浮力体１４４は、図３に示すように浮力を有する固体からなってもよく、図４に示すように気体からなってもよい。固体タイプの浮力体１４４はポリエチレン（ＰＥ）やＰＶＣ、ＮＶＲ、ＥＶＡなどの合成樹脂を発泡成形させて形成されたフォームなどの発泡性樹脂を板状に加工して備えられ、救命ベルト本体１４１の内部に収容される。
【００３３】
気体タイプの浮力体Ａは、図４に示すように、救命ベルト本体１４１の内部に充填される。気体タイプの浮力体Ａは、製造時から救命ベルト本体１４１の内部に充填されてもよく、或いは非常時に救命ベルト本体１４１が背もたれ１３０から取り外された後、引張部材１４８を引っ張って充填されてもよい。
【００３４】
救命ベルト本体１４１に設けられた開口１４２は、使用者が救命ベルト１４０を着用することが可能な着用空間を形成し、救命ベルト本体１４１の内部には使用者の胴体が収められる収容空間４１３を形成する。すなわち、開口１４２を介して使用者が救命ベルトを着用することにより収容空間１４３に胴体が挟まれる。
【００３５】
接続部材１４５、１４７は、開口１４２の両内側に取り付けられ、使用者が救命ベルト本体１４１を着用した後に開口１４２を閉鎖する。これにより、救命ベルト１４０が使用者から分離されることを防止し、使用者が救命ベルト１４０を着用した状態が長時間安定的に保持できる。
【００３６】
接続部材１４５、１４７は、互いに雄雌係合されるバックルであってもよく、図８に示すように同一形状の係合輪１５４であってもよい。その他にも、接続部材１４５、１４７としては長時間安定的に結合状態が保持できる公知の構成、例えばジッパーやボタンなどを用いてもよい。一方、接続部材１４５、１４７は、長さ調節部材を備えて使用者の胴体に救命ベルト１４０が密着するようにすることができる。
【００３７】
次に、このような構成を持つ本発明の第１実施形態に係る救命ベルト一体型椅子１００の使用過程を図１〜図６に基づいて説明する。
【００３８】
救命ベルト一体型椅子１００は、自動車、船舶または航空機などを含む、海難事故の発生が予想可能な輸送手段のいずれにも設置できる。また、救命ベルト一体型椅子１００は、台風、津波、洪水などの災難が頻繁に発生する或いは予想される地域で、椅子の設置が可能な家庭や事務室などに設置できる。
【００３９】
このように設置された救命ベルト一体型椅子１００には、救命ベルト１４０が背もたれ１３０の結合部１３１に固定部材によって取り付けられている。
【００４０】
使用者がシート１２０に着席すると、救命ベルト１４０の内部に収容された浮力体１４４が支持クッション部１３３と共にクッション感を提供して使用者に楽な着席感を提供することができる。
【００４１】
一方、危急な状況が感知されると、図５に示すように、使用者は、救命ベルト一体型椅子１００に着席した状態で、救命ベルト１４０の開口１４２が設けられた末端部のみを背もたれ１３０から取り外して接続部材１４５、１４７を用いて着用することができる。その後、自動車、航空機または船舶などから脱出すべき状況が発生すると、図６に示すように、使用者は救命ベルト１４０の残り部分を背もたれ１３０から取り外して脱出することができる。この状態で水中に使用者が入り込む場合、浮力体１４４の浮力によって使用者が浮き上がる。
【００４２】
上述したように、本発明の第１実施形態に係る救命ベルト一体型椅子は、椅子を構成するシートまたは背もたれに救命ベルトが着脱可能に取り付けられ、平常時には一般椅子のように使用者に楽な着席感を提供する。これに対し、危急状況時には救命ベルトをシートまたは背もたれから取り外して胴体に着用することにより危急状況に対処することができる。
【００４３】
すなわち、本発明の救命ベルト一体型椅子は、救命ベルトがシートまたは背もたれに着脱可能に取り付けられるので、救命ベルトを保管するための別の着脱空間が要求されない。これにより、自動車、航空機または船舶などで空間をもっと広く効率的に使用することができる。
【００４４】
さらに、使用者の接近性が良い背もたれおよびシートに取り付けられているので、危急状況発生の際に使用者が迅速に救命ベルトを着用して応急状況に対処することができる。
【００４５】
一方、図７は本発明の第２実施形態に係る救命ベルト一体型椅子１００ａの構成を示す斜視図、図８は救命ベルト１５０を拡大して示す斜視図である。
【００４６】
前述した本発明の第１実施形態に係る救命ベルト一体型椅子１００は救命ベルト１４０が全体的に馬蹄または「コ」字状の形状をしているが、本発明の第２実施形態に係る救命ベルト１５０は全体的に「口」字状の形状をしている。救命ベルト１５０の開口領域が幅狭く形成され、開口領域の両側に一対の係合輪１５４が設けられてもよい。これにより、第１実施形態に係る救命ベルト１４０と比較して、第２実施形態に係る救命ベルト１５０は使用者の胴体に対する密着性を一層高めることができる。
【００４７】
一方、図９は本発明の第３実施形態に係る救命ベルト一体型椅子１００ｂの構成を示す斜視図、図１０は本発明の第３実施形態に係る救命ベルト１６０の構成を拡大して示す斜視図である。
【００４８】
前述した本発明の第１実施形態に係る救命ベルト一体型椅子１００は、救命ベルト１４０が背もたれ１３０の縁部領域に結合するように取り付けられたが、本発明の第３実施形態に係る救命ベルト１６０は背もたれ１３０の全領域をカバーする形態である。
【００４９】
救命ベルト１６０は、使用者の胴体の外側に配置される縁部領域１６１と、縁部領域１６１を除く中央領域に縁部領域１６１に対して内側方向に折畳可能に配置され、縁部領域の内側に収容空間１６６を形成する複数の折畳領域１６２、１６３とから構成される。縁部領域１６１は本発明の第１実施形態の救命ベルトと同様の馬蹄または「コ」字の形状に形成される。本発明の第３実施形態に係る救命ベルト１６０は、複数の折畳領域１６２、１６３が、平常時には広げられた状態で縁部領域１６１と共に背もたれの役割を果たし、危急状況時には縁部領域１６１の内側に折り畳まれ、使用者の胴体が収められる収容空間１６６を形成する。折畳領域１６２、１６３の個数は救命ベルト１６０のサイズと背もたれのサイズによって調節できる。
【００５０】
救命ベルト１６０の下部領域には、開口領域を閉鎖する結合バックル１６４ａ、１６５ａ が設けられる。
【００５１】
このような本発明の第３実施形態に係る救命ベルト一体型椅子１００ｂは、救命ベルト１６０自体が背もたれの役割を果たすので、第１実施形態に係る救命ベルト一体型椅子１００に比べて全体構成が簡単であるという利点がありうる。
【００５２】
一方、図１１は本発明の第４実施形態に係る救命ベルト一体型椅子１００dの構成を示す斜視図である。本発明の第４実施形態に係る救命ベルト一体型椅子１００ｃは救命ベルト１８０が背もたれ１３０とシート１２０にわたって形成される。
【００５３】
また、救命ベルト１８０の板面には、救命ベルト１８０を外部に取り外すための把手１８５が備えられる。把手１８５は、救命ベルト１８０の開口領域に隣接した救命ベルト１８０の一側面（救命ベルトの上面または側面を含む）に位置することができる。把手１８５は、固定部材によって結合部１３１に結合した救命ベルト１８０を外部に取り外す方向に引っ張り易く設けられる。把手１８５は、救命ベルト１８０の板面に突設され、使用者が容易に握ることができるようにする。
【００５４】
本発明の属する技術分野における通常の知識を有する者は、本発明がその技術的思想または必須的な特徴を変更することなく、他の具体的な形態で実施できることを理解することができるであろう。よって、上述した実施形態はいずれも、例示的なものに過ぎず、限定的なものではないと理解すべきである。本発明の範囲は上述の詳細な説明よりは後述の特許請求の範囲によって定義される。なお、特許請求の範囲の意味および範囲、そしてそれらの均等概念から導出される全ての変更または変形形態も本発明の範囲に含まれると解釈すべきである。
【産業上の利用可能性】
【００５５】
本発明の一実施形態に係る救命ベルト一体型椅子は、椅子を構成するシートまたは背もたれに救命ベルトが着脱可能に取り付けられ、平常時には一般椅子のように使用者に楽な着席感を提供する。これに対し、危急状況時には救命ベルトをシートまたは背もたれから取り外して胴体に着用することにより危急状況に対処することができる。
【００５６】
すなわち、本発明の救命ベルト一体型椅子は、シートまたは背もたれに着脱可能に取り付けられるので、救命ベルトを保管するための別の着脱空間が要求されない。これにより、自動車、航空機または船舶などで空間をもっと広く効率的に使用することができる。
【００５７】
さらに、使用者の接近性が良い背もたれとシートに取り付けられているので、危急状況発生の際に使用者が迅速に救命ベルトを着用して応急状況に対処することができる。
【図１】
2014526935.tif 000003
【図２】
2014526935.tif 000004
【図３】
2014526935.tif 000005
【図４】
2014526935.tif 000006
【図５】
2014526935.tif 000007
【図６】
2014526935.tif 000008
【図７】
2014526935.tif 000009
【図８】
2014526935.tif 000010
【図９】
2014526935.tif 000011
【図１０】
2014526935.tif 000012
【図１１】
2014526935.tif 000013
【国際調査報告】
2014526935.tif 000014
2014526935.tif 000015
2014526935.tif 000016
2014526935.tif 000017